(57)【特許請求の範囲】
【請求項１】
自動二輪車の走行情報を蓄積する方法であって、
自動二輪車の座標データを得る工程（ａ）と、
前記自動二輪車の車体の左右バンク角を算出する工程（ｂ）と、
前記座標データと前記車体の左右バンク角とをリンクして記憶する工程（ｃ）と
を包含する、自動二輪車用の走行情報蓄積方法。
【請求項２】
前記工程（ａ）は、ＧＰＳ（Ｇｌｏｂａｌ  Ｐｏｓｉｔｉｏｎｉｎｇ  Ｓｙｓｔｅｍ）を利用して実行される、請求項１に記載の自動二輪車用の走行情報蓄積方法。
【請求項３】
前記工程（ａ）では、
さらに、得られた前記座標データを用いて前記自動二輪車の走行経路からなる走行地図を作成する工程と、
前記走行地図から走行経路のカーブ曲率を算出する工程と
を実行する、請求項１または２に記載の自動二輪車用の走行情報蓄積方法。
【請求項４】
さらに、前記カーブ曲率を複数の区分のグループに分類する工程を実行し、
前記工程（ｃ）においては、前記カーブ曲率の前記グループ毎に、前記左右バンク角をリンクして記憶する工程を実行する、請求項３に記載の自動二輪車用の走行情報蓄積方法。
【請求項５】
前記複数の区分は、前記カーブ曲率が５０ｍ単位ごとのグループで分けられている、請求項４に記載の自動二輪車用の走行情報蓄積方法。
【請求項６】
前記左右バンク角は、左バンク角と右バンク角とに分けて、前記カーブ曲率の前記グループ毎にリンクして記憶される、請求項４に記載の自動二輪車用の走行情報蓄積方法。
【請求項７】
前記工程（ｃ）において、前記左右バンク角に加えて、前記自動二輪車の車速、加速度および減速度を、前記座標データにリンクして記憶する、請求項１に記載の自動二輪車用の走行情報蓄積方法。
【請求項８】
前記工程（ａ）から（ｃ）は、異なるライダー毎に区別して実行される、請求項１から７の何れか一つに記載の自動二輪車用の走行情報蓄積方法。
【請求項９】
前記異なるライダー毎の区別には、第１のライダーが単独の場合と、当該第１のライダーが二人乗りで走行している場合とが区別されている、請求項８に記載の自動二輪車用の走行情報蓄積方法。
【請求項１０】
前記工程（ａ）から（ｃ）は、異なる路面ごとに区別して実行される、請求項１から７の何れか一つに記載の自動二輪車用の走行情報蓄積方法。
【請求項１１】
前記座標データおよび前記バンク角は、所定時間ごとに記憶される、請求項１から１０の何れか一つに記載の自動二輪車用の走行情報蓄積方法。
【請求項１２】
さらに、撮像素子を用いて、前記自動二輪車の走行時の画像データが記録される、請求項１に記載の自動二輪車用の走行情報蓄積方法。
【請求項１３】
自動二輪車の走行情報を蓄積するシステムであって、
自動二輪車の座標データを取得するための座標特定装置と、
前記自動二輪車の車体の左右バンク角を計測するためのセンサと、
前記座標特定装置と前記センサとに接続された制御部と、
前記制御部によって処理されたデータを記憶する記憶部と
を備え、
前記制御部は、
前記センサからの情報に基づいて前記車体の左右バンク角を算出する機能を有し、かつ、
当該左右バンク角を、前記座標特定装置が取得した前記自動二輪車の座標データとリンクして、前記記憶部へ出力する機能を有している、自動二輪車用の走行情報蓄積システム。
【請求項１４】
前記座標特定装置は、ＧＰＳ信号を受信するＧＰＳ受信機である、請求項１３に記載の自動二輪車用の走行情報蓄積システム。
【請求項１５】
前記制御部は、
前記座標データを用いて前記自動二輪車の走行経路からなる走行地図を作成する機能と、
前記走行地図から走行経路のカーブ曲率を算出する機能と
を備えている、請求項１２に記載の自動二輪車用の走行情報蓄積システム。
【請求項１６】
前記センサは、車速センサおよびヨーレートセンサを含む、請求項１３に記載の自動二輪車用の走行情報蓄積システム。
【請求項１７】
請求項１３から１６の何れか一つに記載の自動二輪車用の走行情報蓄積システムを備えた自動二輪車。
【請求項１８】
前記自動二輪車は、さらに、前記制御部に接続された撮像素子を備えている、請求項１７に記載の自動二輪車。
【発明の詳細な説明】
【技術分野】
【０００１】  本発明は、自動二輪車用の走行情報蓄積方法に関する。特に、自動二輪車の走行を支援するための走行情報を蓄積する方法に関する。本発明はまた、自動二輪車用の走行情報蓄積システムおよびそのシステムを備えた自動二輪車に関する。
【背景技術】
【０００２】  自動二輪車の走行を支援するために、道路状況と車両の走行状態に応じて必要な警告をライダーに与える自動二輪車の情報提供装置が提案されており、例えば特許文献１に開示されている。【０００３】  特許文献１に開示された情報提供装置では、通信によって得られた道路情報と各種センサによって検出された車両情報（例えば、車速Ｖなど）の取り出しが開始される。そして、ＥＣＵは、車速Ｖとカーブの半径Ｒ及び重力加速度ｇを用いて、式  θ＝ｔａｎ−１（Ｖ２／（ｇ・Ｒ））によって車体のバンク角θを算出し、次いで、求められたバンク角θの大きさを判定する。【０００４】  θ＜１０°の場合は、ランプ番号ＬＮＵＭを１（青）に設定して、青のＬＥＤランプを点灯し、バンク角θが１０°≦θ＜２０°である場合は、ランプ番号ＬＮＵＭを２（黄）に設定するとともに、音声信号ＶｏｉｃｅＮを１（「ピッ注意！」）に設定する。バンク角θが２０°≦θである場合は、ランプ番号ＬＮＵＭを３（赤）に設定し、音声信号ＶｏｉｃｅＮを２（「ピピ危険！」）に設定すると同時に、リヤブレーキランプを点灯し、バンク角θが１０°≦θである場合には、車速Ｖが判定され、車速Ｖに応じてそれぞれの色（黄又は赤）のランプの点滅間隔と音声信号の長さ及び音量が設定される。【０００５】  このように、道路状況と車両の走行状況に応じて必要な警告がライダーに所定のタイミングで自動的に与えられるため、ライダーは車両を常に適切に運転することができ、これによってライダーの運転の負担を軽減することができる。
【特許文献１】特開２００２−１４０８００号公報
【発明の開示】
【発明が解決しようとする課題】
【０００６】  特許文献１では、バンク角θを算出し、バンク角θの大きさに応じて必要な警告をライダーに与えるようにしている。しかしながら、自動二輪車におけるバンク角というのは、他の条件（例えば、カーブの曲率、ライダーの技量）に影響されることが大きく、単に、バンク角θの大きさを測定しても、実際には役に立たないことが多い。特に、ある標準的なバンク限界（適正バンク角）を定めて、それをライダーに情報提供しても、技量のあるライダーには甘い設定となってしまい、役に立たず、適切な走行支援にむすびつかない。【０００７】  本発明はかかる諸点に鑑みてなされたものであり、その主な目的は、自動二輪車の走行支援のために適切なバンク角を記憶できる自動二輪車用の走行情報蓄積方法を提供することにある。本発明の他の目的は、そのような走行情報蓄積方法を実現するのに好適な自動二輪車用の走行情報蓄積システム、および、そのシステムを備えた自動二輪車を提供することにある。
【課題を解決するための手段】
【０００８】  本発明の自動二輪車用の走行情報蓄積方法は、自動二輪車の走行情報を蓄積する方法であり、自動二輪車の座標データを得る工程（ａ）と、前記自動二輪車の左右バンク角を算出する工程（ｂ）と、前記座標データと前記左右バンク角とをリンクして記憶する工程（ｃ）とを包含する。【０００９】  前記工程（ａ）は、ＧＰＳ（Ｇｌｏｂａｌ  Ｐｏｓｉｔｉｏｎｉｎｇ  Ｓｙｓｔｅｍ）を利用して実行されることが好ましい。【００１０】  ある好適な実施形態において、前記工程（ａ）では、さらに、得られた前記座標データを用いて前記自動二輪車の走行経路からなる走行地図を作成する工程と、前記走行地図から走行経路のカーブ曲率を算出する工程とを実行する。【００１１】  さらに、前記カーブ曲率を複数の区分のグループに分類する工程を実行し、前記工程（ｃ）においては、前記カーブ曲率の前記グループ毎に、前記左右バンク角をリンクして記憶する工程を実行することが好ましい。【００１２】  ある好適な実施形態において、前記複数の区分は、前記カーブ曲率が５０ｍ単位ごとのグループで分けられている。
前記左右バンク角は、左バンク角と右バンク角とに分けて、前記カーブ曲率の前記グループ毎にリンクして記憶されることが好ましい。
前記工程（ｃ）において、前記左右バンク角に加えて、前記自動二輪車の車速、加速度および減速度を、前記座標データにリンクして記憶することが好ましい。【００１３】  ある好適な実施形態において、前記工程（ａ）から（ｃ）は、異なるライダー毎に区別して実行される。【００１４】  ある好適な実施形態において、前記異なるライダー毎の区別には、第１のライダーが単独の場合と、当該第１のライダーが二人乗りで走行している場合とが区別されている。【００１５】  前記工程（ａ）から（ｃ）は、異なる路面ごとに区別して実行されることが好ましい。【００１６】  ある好適な実施形態において、前記座標データおよび前記バンク角は、所定時間ごとに記憶される。【００１７】  さらに、撮像素子を用いて、前記自動二輪車の走行時の画像データを記録してもよい。【００１８】  本発明の自動二輪車用の走行情報蓄積システムは、自動二輪車の走行情報を蓄積するシステムであり、自動二輪車の座標データを取得するための座標特定装置と、前記自動二輪車の左右バンク角を計測するためのセンサと、前記座標特定装置と前記センサとに接続された制御部と、前記制御部によって処理されたデータを記憶する記憶部とを備え、前記制御部は、前記センサからの情報に基づいて前記自動二輪車の左右バンク角を算出する機能を有し、かつ、当該左右バンク角を、前記座標特定装置が取得した前記自動二輪車の座標データとリンクして、前記記憶部へ出力する機能を有している。【００１９】  前記座標特定装置は、ＧＰＳ信号を受信するＧＰＳ受信機であることが好ましい。【００２０】  ある好適な実施形態において、前記制御部は、前記座標データを用いて前記自動二輪車の走行経路からなる走行地図を作成する機能と、前記走行地図から走行経路のカーブ曲率を算出する機能とを備えている。【００２１】  ある好適な実施形態において、前記センサは、車速センサおよびヨーレートセンサを含む。【００２２】  本発明の自動二輪車は、上記自動二輪車用の走行情報蓄積システムを備えている。【００２３】  ある好適な実施形態において、前記自動二輪車は、さらに、前記制御部に接続された撮像素子を備えている。【００２４】  本発明の実施形態に係る自動二輪車の走行情報表示システムは、車体の走行状態を検出するセンサと；このセンサ出力に基づいて、左右バンク角、加減速値、車速及び車体の加減速ポイントの少なくとも一つからなる走行特性値に関連するデータを得、このデータの所定時間毎の値を順次記録して、当該データの履歴を蓄積するデータ処理手段と；この蓄積データに基づき、車体の走行結果に対応させて走行特性値を表示手段に表示するための情報処理を実行する表示処理手段とを備えている。【００２５】  ある実施形態において、前記走行結果は車体が走行した走行経路、又は車体が走行した走行経路のカーブ曲率である。【００２６】  ある実施形態において、前記表示処理手段は、前記走行経路に沿って前記走行特性値を表示するように構成されている。【００２７】  ある実施形態において、前記表示処理手段は、前記走行経路を地図データに重ねて表示するように構成されている。【００２８】  ある実施形態において、前記表示処理手段は、前記走行特性値を比較���走行特性値と隣接させて表示手段に表示可能に構成されている。【００２９】  ある実施形態において、前記比較用走行特性値は、通信手段を介して外部データベースから前記表示処理手段の記憶領域に保存可能に構成されてなるものである。【００３０】  ある実施形態において、前記比較用走行特性値は、標準値、又は同一ドライバの過去の走行限界値、又は他のドライバの走行限界値である。【００３１】  ある実施形態において、前記データ処理手段は、車体の走行軌跡に対応した座標データから走行経路を得るように構成されている。【００３２】  ある実施形態において、前記座標データは、ＧＰＳから得られる。【００３３】  本発明の実施形態に係る自動二輪車の情報表示システムは、自動二輪車のライダーへの情報伝達処理手段と、処理結果を表示する表示手段とを備えてなり、前記情報伝達処理手段は、車載センサからの出力情報をメモリに順次記憶するとともに、この記憶値と車体の位置情報とから、車体が走行した走行経路に関する左右のバンク角のメモリマップを形成し、このマップデータに基づいてライダーに対して前記走行経路に対するバンク角を表示手段に表示するように構成されている。【００３４】  ある実施形態において、前記バンク角は、前記ライダーの運転能力に依存した限界バンク角である。【００３５】  ある実施形態において、前記メモリマップは、前記走行路のカーブ曲率に対するバンク角のメモリ領域を備えている。【００３６】  ある実施形態において、前記メモリマップは、前記走行路の座標データに対するバンク角のメモリ領域を備えている。【００３７】  ある実施形態において、前記情報伝達処理手段は、車体の現在のバンク角とメモリマップ上の対応バンク角とを比較し、その比較結果に基づいて、対応バンク角を最新のバンク角によって更新記憶するようにするものである。【００３８】  ある実施形態において、前記情報伝達処理手段は、最新のバンク角が対応する走行路の物理的な限界バンク角を超える場合には、前記メモリマップ上の対応バンク角を更新しないか、又は前記物理的なバンク値以下の範囲で更新するようにするものである。【００３９】  ある実施形態において、前記情報伝達処理手段は、最新のバンク角が前記限界バンク角の近傍にあるときには、前記表示手段に警告表示を行うものである。【００４０】  ある実施形態において、前記限界バンク角は、路面状況、天候状況、運転者の要求の少なくとも一つによって補正される。【００４１】  ある実施形態において、前記限界バンク角は、車載用の地図データによって設定される。【００４２】  ある実施形態において、前記限界バンク角は、通信手段を介して外部のデータベースから前記情報伝達処理手段に設定される。【００４３】  ある実施形態において、前記補正用パラメータは、車載スイッチによって前記情報伝達処理手段に設定可能である。【００４４】  ある実施形態において、前記補正用パラメータは、前記データベースに設定され、前記通信手段を介して前記情報伝達処理手段に設定可能である。【００４５】  ある実施形態において、前記メモリマップは、通信手段を介して前記データベースに設定可能に構成されている。【００４６】  ある実施形態において、前記メモ���マップには、前記走行路に対する最高車速が設定されている。【００４７】  ある実施形態において、前記メモリマップには、車体が走行した走行路のコーナー毎に限界バンク角が設定されている。【００４８】  本発明の実施形態に係る自動二輪車の情報表示システムは、自動二輪車のドライバへの情報伝達処理手段と、処理結果を表示する表示手段とを備えてなり、前記情報伝達処理手段は、車載センサからの出力情報をメモリに順次記憶するとともに、この記憶値と車体の位置情報とから、車体が走行した走行経路に関する走行限界値のメモリマップを形成し、このマップデータに基づいてライダーに対して前記走行経路に対する走行限界値を表示手段に表示するように構成されている。【００４９】  ある実施形態において、測定値が前記走行限界値を超える場合には、この走行限界値を測定値で更新記憶するようにされている。【００５０】  ある実施形態において、前記走行経路に対する走行限界値は、走行路毎にそれぞれ記憶される。【００５１】  ある実施形態において、前記走行経路に対する走行限界値は、ライダー毎にそれぞれ記憶される。【００５２】  ある実施形態において、前記走行限界値には、カーブ路における車速、バンク角、減速度、加速度の各最大値の少なくとも一つが含まれている。【００５３】  ある実施形態において、前記メモリマップの同一走行経路に対する走行限界値は、複数記憶されている。【００５４】  ある実施形態において、前記情報伝達処理手段は、前記メモリマップの記憶データを編集できる機能を備えている。【００５５】  ある実施形態において、前記メモリマップの記憶データは、車外の情報処理装置によって編集可能に構成されている。【００５６】  ある実施形態では、同一走行経路に対する複数の記憶データを編集して最適値を設定可能な手段を備えている。【００５７】  本発明の実施形態に係る自動二輪車の情報提示方法は、自動二輪車の走行の際に、バンク角を所定間隔毎にメモリに継続的に記憶し、このバンク角の記憶値から運転熟練度を決定し、運転熟練度毎にバンク角を決め、カーブ半径とバンク角と車体のバンク限界から前記熟練度毎に限界車速を決め、カーブ進入前の走行車体が前記限界車速まで減速されていない場合には、ライダーに対して警告告知をする。【００５８】  ある実施形態において、前記限界車速値は、走行路の特徴、車体の状態、路面状態の少なくとも一つによって補正される。【００５９】  ある実施形態において、前記車体の状態には、車輪の空気圧が含まれる。【００６０】  本発明の実施形態に係る自動二輪車の情報表示システムは、自動二輪車のドライバへの情報伝達処理手段と、処理結果を表示する表示手段とを備えてなり、前記情報伝達処理手段は、車体の走行路の走行限界値を記憶するメモリマップを備えている。【００６１】  ある実施形態において、前記走行限界値は、限界バンク角である。【００６２】  ある実施形態において、前記車体の状態には、車輪の空気圧が含まれる。【００６３】  本発明の実施形態に係る自動二輪車の情報表示システムは、自動二輪車のドライバへの情報伝達処理手段と、処理結果を表示する表示手段とを備えてなり、前記情報伝達処理手段は、車体の走行路での運転状態を継続的に取得し、当該走行路での最大の車体運転特性を求め、これを限界走行値として、走行路と対応させてメモリマップを形成する。【００６４】  ある実施形態において、前記走行限界値は、限界バンク角又は限界車速である。【００６５】  本発明の実施形態に係る自動二輪車の情報表示システムは、自動二輪車のライダーへの情報伝達処理手段と、処理結果を表示する表示手段とを備えてなり、前記情報伝達処理手段は、パラメータを読み込むステップと、ライダーの走行限界値を外部メモリ媒体から読み込むステップと、実測値が走行限界値を超える際には、実測値で走行限界値を書き換えて、これを外部メモリに登録するステップと、を実行するように構成されている。【００６６】  本発明の実施形態に係る自動二輪車の情報表示システムは、自動二輪車のライダーへの情報伝達処理手段と、処理結果を表示する表示手段とを備えてなり、前記情報伝達処理手段は、パラメータを読み込む第１ステップと、ライダーの走行限界値を外部メモリから読み込む第２ステップと、実測値が走行限界値を超える際には、実測値で走行限界値を書き換えて、これを外部メモリに登録する第３ステップと、を実行するように構成されている。【００６７】  ある実施形態において、前記情報伝達処理手段は、前記外部メモリからコーナーの限界車速値を読み込み、実測値がこの限界車速値以上のとき、前記第３ステップを実行するように構成されている。【００６８】  本発明の実施形態に係る自動二輪車の情報表示システムは、自動二輪車のライダーへの情報伝達処理手段と、処理結果を表示する表示手段とを備えてなり、前記情報伝達処理手段は、路線のコーナーに対する当該ライダーの限界バンク角のメモリマップを外部メモリから読み込み、この限界バンク角に基づいて限界車速を求め、この限界車速値と実測車速値とを比較して、その比較結果を前記表示手段に表示するように構成されている。【００６９】  本発明の実施形態に係るプログラムは、上記各手段を自動二輪車の制御用車載マイコンに実施させるためのプログラムである。【００７０】  本発明の実施形態に係る記憶媒体は、上記プログラムが記憶された記憶媒体である。
【発明の効果】
【００７１】  本発明の自動二輪車用の走行情報蓄積方法によれば、自動二輪車の座標データを得るとともに、自動二輪車の左右バンク角を算出した後、座標データと前記左右バンク角とをリンクして記憶する工程を実行するので、自動二輪車の走行支援のために適切なバンク角を記憶することができる。【００７２】  さらに、得られた座標データを用いて自動二輪車の走行経路からなる走行地図を作成するとともに、走行地図から走行経路のカーブ曲率を算出する工程を実行する場合には、自動二輪車が走行する際に的確なカーブ曲率に基づいて、適切なバンク角を記憶することが可能となる。また、カーブ曲率を複数の区分のグループ（例えば、カーブ曲率５０ｍ単位ごとのグループ）に分類した後、カーブ曲率のグループ毎に、左右バンク角をリンクして記憶する工程を実行することも可能である。
【図面の簡単な説明】
【００７３】
【図１】本発明の実施形態に係る走行情報蓄積方法を説明するためのフローチャートである。
【図２】自動二輪車の走行経路１４からなる走行地図１０を作成する工程を説明するための図である。
【図３】走行地図１０から走行経路のカーブ曲率１８を算出する工程を説明するための図である。
【図４】カーブ曲率を複数のグループに分類して、そのグループに左右バンク角を記憶したものを示す図（テーブル）である。
【図５】カーブ曲率を複数のグループに分類して、そのグループに左右バンク角を記憶したものを示す図（テーブル）である。
【図６】本発明の実施形態に係る自動二輪車用の走行情報蓄積システムの構成を示すブロック図である。
【図７】本発明の実施形態に係る自動二輪車用の走行情報蓄積システムを備えた自動二輪車２００を模式的に示す側面図である。
【図８】本発明の実施形態に係る自動二輪車用の走行情報蓄積システム１００を示すブロック図である。
【図９】自動二輪車用の走行情報蓄積システム１００を示すブロック図である。
【図１０】自動二輪車用の走行情報蓄積システム１００を示すブロック図である。
【図１１】バンク角データ、加速度データなどの統合データの表示例を示す図である。
【図１２】カメラウインド６６と地図情報ウインド１１等とを融合した表示例を示す図である。
【図１３】ライダー側から見たハンドル・モニター周りの構造図である。
【図１４】（ａ）は、表示器２１６の構成を示す正面図であり、（ｂ）は、その側面断面図である。
【図１５】表示器２１６およびその周囲の構成を示す斜視図である。
【図１６】走行路の軌跡の映像に重ねて、左右のバンク角の値を連続的に表示した図である。
【図１７】車速が車体の走行軌跡にインポーズされた画像を表示した図である。
【図１８】コースの走行中の走行特性値を示す画面例である。
【図１９】コースの走行中の走行特性値を示す画面例である。
【図２０】データを表示させる際の各種パラメータの設定を説明するための図である。
【図２１】本発明の実施形態に係る自動二輪車用の走行情報蓄積方法を含むフローについて説明するためのフローチャートである。
【図２２】本発明の実施形態に係る自動二輪車用の走行情報蓄積方法を含むフローについて説明するためのフローチャートである。
【図２３】本発明の実施形態に係る自動二輪車用の走行情報蓄積方法を含むフローについて説明するためのフローチャートである。
【符号の説明】
【００７４】１１地図情報ウインド
１２座標データ
１３取得番号
１４走行経路
１５方位マーク
１６ウインドバー
１７自車位置
１８カーブ曲率
１９勾配情報
２０制御部
２２座標特定装置
２４センサ
２６記憶部
３０データ処理部
３２メモリ
３４表示処理装置
４２センサ
４６設定スイッチ
４８外部メモリ
５０電源
５４カメラ／マイク入力部
５６出力部
６０バンク角表示
６２減速度表示
６４カーブ指示アイコン
６６カメラウインド
７０画面
１００走行情報蓄積システム
１２２受信機
２００自動二輪車（スクータ型自動二輪車）
２０２前輪
２０３後輪
２０４ハンドル
２０５スクリーン
２０６ユニットスイング式エンジン
２０７シート
２０８ヘルメット
２０９アンテナ
２１０ＤＳＲＣアンテナ（ＤＳＲＣ受信機）
２１２検出器
２１３ＤＳＲＣ受信機
２１５映像回路
２１５音声ユニット
２１６ディスプレイ装置（液晶表示装置）
２１７音声送受信機
２１８路側マーカー
２１９路側アンテナ
２２０ナビゲーション装置
２２２音声受信機
２２４スピーカ（音声出力手段）
２３０メインスイッチ
２３２サイドミラー
２４０メーターユニット
２４２車速計
２４４油温計
２５０シェード
２５２スイッチ（ボタン式スイッチ）
２５４バネ
２５６ストッパ
【発明を実施するための最良の形態】
【００７５】  本願発明者は、自動二輪車の走行支援のために適切なバンク角を記憶するには、単にバンク角の大きさを機械的に記憶するだけでは足りず、座標データ（特に、所定のカーブ曲率を有するカーブのデータ）と組合せて初めてライダーにとって有意義なバンク角となることを想到し、本発明に至った。【００７６】  以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。【００７７】  まず、図１を参照しながら、本発明の実施形態に係る自動二輪車の走行情報を蓄積する方法（自動二輪車用の走行情報蓄積方法）について説明する。図１は、本実施形態の走行情報蓄積方法を説明するためのフローチャートである。【００７８】  本実施形態の自動二輪車用の走行情報蓄積方法では、まず、自動二輪車の座標データを取得する工程（Ｓ１０）、および、自動二輪車の左右バンク角を算出する工程（Ｓ２０）を実行する。座標データの取得（Ｓ１０）と左右バンク角の算出（Ｓ２０）とは、いずれを先に実行しても良いし、実質的に同時に実行してもよい。その後、その座標データと左右バンク角とをリンクして記憶する（Ｓ３０）。【００７９】  本実施形態では、自動二輪車の座標データを取得する工程（Ｓ１０）は、ＧＰＳ（Ｇｌｏｂａｌ  Ｐｏｓｉｔｉｏｎｉｎｇ  Ｓｙｓｔｅｍ）を利用して自車の位置データを得ることによって実行される。ＧＰＳは、地球の周回軌道を回る衛星から発信される信号の到達時間から、現在地の緯度・経度を特定するシステムである。衛星からの三角測量がシステムの基本となっており、正確な位置を特定するには４衛星以上が必要となる。また、ＧＰＳの誤差を補正して小さくするために、ディファレンシャルＧＰＳサービス（位置情報補正サービス）により、高精度での位置データを得ることが好ましい。【００８０】  また、本実施形態では、座標データの取得（Ｓ１０）において、さらに、ＧＰＳによって得られた座標データを用いて自動二輪車の走行経路からなる走行地図を作成する工程と、走行地図から走行経路のカーブ曲率を算出する工程とを実行する。図２は、自動二輪車の走行経路１４からなる走行地図１０を作成する工程を説明するための図であり、図３は、走行地図１０から走行経路のカーブ曲率１８を算出する工程を説明するための図である。【００８１】  自動二輪車が走行している場合、図２に示すように所定時間毎（例えば、１００ミリ秒毎）にＧＰＳ座標データ１２を取得し、その点（ノード）を時系列的に結ぶと（または、ＧＰＳ座標データ１２の取得番号１３の順に結ぶと）、自動二輪車の走行経路１４が得られ、走行経路１４からなる走行地図１０が作成される。【００８２】  図２に示した例では、所定の取得番号１３が付されたＧＰＳ座標データ１２が、ウインド画面１１内に表示されており、ウインド画面１１には、方位マーク１５が配置されているとともに、画像編集用のウインドバー１６が設けられている。【００８３】  図２に示した走行地図１０の点（ノード）１２を画像処理により修正して、走行経路１４を滑らかにすると、図３に示す走行地図１０が得ら��る。そして、この走行地図１０の走行経路１４からカーブ曲率１８を求めることができる。また、ＧＰＳ座標データ１２から下り勾配・上り勾配の情報も求めることができるので、勾配情報（この例では、下り）１９を表示させることも可能である。【００８４】  この走行経路１４は、実際に自動二輪車が走行した経路であるので、カーブ曲率１８は、ナビゲーションシステムに用いられる電子地図から求めたカーブ曲率よりも正確である。また、そもそも電子地図には正確なカーブ曲率データは含まれていないことが多いので、本実施形態の手法によって、カーブ曲率を自動的に求めることができるのはそれ自体で技術的価値を有している。そして、この走行地図１０に基づくカーブ曲率１８は、自動二輪車の走行特性を反映したものとなっている。すなわち、乗用車等の四輪車の場合、車幅と道路幅の関係から考えて電子地図から概算で算出したカーブ曲率と実際のカーブ曲率との差が大きな問題となることはないが、自動二輪車の場合には、実際に走行するルートによってカーブ曲率が異なるものとなるので、それゆえ、自動二輪車の走行特性を反映したカーブ曲率１８が得られることは技術的意義が大きい。【００８５】  左右バンク角の算出（Ｓ２０）は、例えば、車速センサで計測した車速Ｖと、ヨーレートセンサで計測したカーブの半径Ｒと、重力加速度ｇとから、式  θ＝ｔａｎ−１（Ｖ２／（ｇ・Ｒ））を解いて、車体のバンク角θを求めることができる。また、ヨーレートωの値を用いた場合、式θ＝ｔａｎ−１（Ｖ・ω／ｇ）から算出することもできる。また、左右方向を検知方向とする第１の加速度センサを用いて、バンク角θを求めることもでき、その場合、第１の加速度センサで検知した加速度をＧとし、式Ｇ＝ｇ・ｃｏｓθからバンク角θを求めることができる。【００８６】  本実施形態では、さらに、座標データ１２から得られたカーブ曲率１８を、複数の区分のグループに分類する工程を実行し、カーブ曲率１８のグループ毎に、工程Ｓ２０で算出した左右バンク角をリンクして記憶している。具体的には、当該区分を、例えば、カーブ曲率が５０ｍ単位ごとのグループで分けることができる。【００８７】  本実施形態において、５０ｍ単位ごとのグループで分けたのは、次の理由による。まず、今日のＧＰＳの精度が１０ｍ程度であることを考慮すると、カーブを構成する３点が１０ｍずれると曲率は大きく変化してしまい、それゆえ、カーブ曲率を細かく区分してもそれほど大きな意味を持たない。走行時のライダーの識別能力を考えると、曲率を細かくしても判断できないことが経験的にわかっており、その点でも細かい曲率で区分することに大きな意味はない。したがって、５０ｍ程度の分類が適当と判断したものである。【００８８】  カーブ曲率を複数のグループに分類して、そのグループに左右バンク角を記憶したもの一例を図４に示す。図４は、所定のカーブ曲率グループとバンク角θとをリンクさせたデータの表示例である。カーブ曲率のグループは、＜Ｒ５０（Ｒ５０ｍ未満）、＜Ｒ１００（Ｒ５０ｍ以上Ｒ１００ｍ未満）、＜Ｒ１５０（Ｒ１００ｍ以上Ｒ１５０ｍ未満）、＜Ｒ２００（Ｒ１５０ｍ以上Ｒ２００ｍ未満）、＜Ｒ３００（Ｒ２００ｍ以上Ｒ３００ｍ未満）、Ｒ３��０≦（Ｒ３００ｍ以上）に分けられており、それぞれのグループに、バンク角θがリンクされて記憶されている。なお、Ｒ２００以上は、５０ｍ単位を複数重ねており（この例では、５０ｍ×２）、Ｒ３００以上は、全ての５０ｍ単位のものを一つのグループにまとめている。【００８９】  図４に示した表示例では、各曲率グループにおいて、最も大きいバンク角θが表示されている。そして、この蓄積データからは、所定の曲率のカーブにおいてどれくらい大きくバンクすることができるかということを把握することができる。本実施形態においては、カーブ曲率とバンク角θとをリンクさせている他に、自動二輪車の車速（Ｖ）、減速度（α１）、加速度（α２）もリンクされている。これらの項目も、各曲率グループで最も大きい値のものを表示させている。【００９０】  また、バンク角θおよび他の項目（車速Ｖなど）は、異なる路面ごとに区別して蓄積することが可能である。図４に示した例では、路面Ａと路面Ｂとに分けて蓄積することができる。例えば、路面Ａをドライとし、路面Ｂをウエットとすることができる。路面の区別は、さらに細かく分類することができ、例えば、アスファルト、ダート、雨路面、雪路面、凍結路面などである。【００９１】  さらに、異なるライダーごとに区別して蓄積することもできる。図４に示した例では、ライダー１とライダー２とを分けて蓄積している。ライダー１とライダー２とは、異なる人物であるのが典型例であるが、自動二輪車を運転するライダーが同じでも、ライダー１とライダー２と区別して蓄積してもよい。例えば、ライダーが単独の場合と、ライダーが二人乗りで走行している場合とに区別して蓄積することができる。【００９２】  加えて、バンク角θは、左バンク角と右バンク角とに分けて蓄積することができる。図５は、左バンク角Ｌと右バンク角Ｒとをわけて蓄積して表示した例を示している。これは、ライダーによっては、左バンクと右バンクとで得手・不得手があり、それを記憶するために、左と右とを別々に蓄積するものである。【００９３】  次に、図６を参照しながら、上述した自動二輪車の走行情報を蓄積するためのシステムについて説明する。図６は、本実施形態の自動二輪車用の走行情報蓄積システムの構成を示すブロック図である。【００９４】  図６に示した走行情報蓄積システム１００は、自動二輪車の座標データを取得するための座標特定装置２２と、自動二輪車の左右バンク角θを計測するためのセンサ２４と、座標特定装置２２とセンサ２４とに接続された制御部２０とから構成されている。制御部２０は、記憶部２６が接続されており、記憶部２６は、制御部２０によって処理されたデータを記憶することができる。【００９５】  ここで、制御部２０は、センサ２４からの情報に基づいて左右バンク角θを算出する機能を有している。また、制御部２０は、座標特定装置２２が取得した座標データと左右バンク角θをリンクして、記憶部２６へ出力する機能を有している。なお、座標データは、ある曲率を有する所定のカーブのポイントのデータであってもよい。【００９６】  座標データを取得するための座標特定装置２２は、インフラの環境を考慮すると、ＧＰＳ信号を受信するＧＰＳ受信機を用いることが好ましく、また便利である。なお、座標データを取得するための座標特定装置２２としては、ＧＰＳ受信機の他に、他のものを使用することができる。例えば、インフラが整っていれば、携帯電話通信、無線ＬＡＮ通信、路車間通信の受信機を用いて座標位置を特定することができる。【００９７】  加えて、画像認識装置を座標特定装置２２として働かせることも可能である。例えば、白線や周囲の建物などでコースまたはポイントを識別して、その識別によって座標を特定することができる。基点となる看板・標識などがあれば、更に識別は容易になる。また、一本道であれば、スタート位置さえ確認することができれば、積算計算でおおよその地図上の位置を特定することができる。さらに、ヨーレートからもコーナーのどの位置にいるかを容易に推定することができる。なお、ライダー自身が基点位置をスイッチで入力することで、座標位置を特定する手法もある。【００９８】  本実施形態におけるバンク角θを計測するためのセンサ２４は、車両が回転する速度（ヨーレート）を検出するヨーレートセンサと、車両の速度（車速）を計測する車速センサとの組合せからなり、このヨーレートと車速とから、制御部２０はバンク角θを算出する。なお、上述したように、バンク角θは、他のセンサ（例えば、加速度センサ）の値から求めることも可能である。【００９９】  座標データおよびバンク角θは、所定時間ごとに求められて、記憶部２６に記憶される。制御部２０に、画像表示部（不図示）を接続すれば、その記憶されたデータを表示させることが可能となる。また、記憶部２６が外部記憶装置（例えば、フラッシュメモリなど）の場合（あるいは、記憶部２６とともに外部記憶装置が制御部２０に併置されている場合）、当該データが格納された外部記憶装置をコンピュータ（例えば、ＰＣ）に接続して、そのコンピュータのモニターでデータを表示させることも可能である。さらに、制御部２０に通信機能が備わっている場合、通信回線を通じて、記憶部２６のデータを取り出すこともできる。【０１００】  制御部２０は、エレクトロニックコントロールユニット（以下、ＥＣＵと称する）からなる。本実施形態における制御部２０は、図２および図３に示した処理を実行できるように、座標データ１２を用いて自動二輪車の走行経路１４からなる走行地図１０を作成する機能と、走行地図１０から走行経路のカーブ曲率１８を算出する機能も備えている。【０１０１】  また、本実施形態では、座標データ１２にバンク角θデータや他のデータ（例えば、車速Ｖ等）がリンクされているので、図２および図３に示した座標データ１２の各ポイントについてそれらのデータを引き出すことができる。加えて、制御部２０に、図４および図５に示したような、カーブ曲率を複数のグループに分類して、そのグループ毎に左右バンク角および他のデータ（例えば、車速Ｖ等）を記憶させる処理を実行できる機能を持たせることも好ましい。なお、座標データ１２にバンク角θがリンクされたデータを作成できれば、その後の任意の処理は、他のデータ処理装置（例えば、ＰＣ）で行うことも可能であるので、制御部２０には必要な機能だけを持たせておいてもよい。【０１０２】  本実施形態の自動二輪車用の走行情報蓄積方法によれば、自動二輪車の座標データを得るとともに（Ｓ１０）、自動二輪車の左右バンク角θを算出した後（Ｓ２０）、座標データと左右バンク角θとをリンクして記憶する工程（Ｓ３０）を実行するので、自動二輪車の走行支援のために適切なバンク角を記憶することができる。すなわち、単にバンク角θの大きさを記憶するのではなく、座標データとバンク角θとをリンクして記憶するので、カーブの曲率のような他の条件を含めたデータ蓄積が容易となり、ライダーの技量にフィットしたバンク角のデータを収集して、走行支援のために適切なバンク角をライダーに通知・情報提供することが可能となる。【０１０３】  さらに、座標特定装置２２で得られた座標データ１２を用いて自動二輪車の走行経路１４からなる走行地図１０を作成するとともに、走行地図１０から走行経路のカーブ曲率１８を算出する工程を実行する場合には、自動二輪車が走行する際に的確なカーブ曲率に基づいて、適切なバンク角を記憶することが可能となる。これにより、既存の地図データから曲率を算出するよりも自動二輪車にとって正確なものが得られるだけでなく、地図データのないエリア（例えば、山道、河川敷、小規模なレース場など）でも、自動二輪車によって有用なカーブ曲率データを算出して記憶することができる。【０１０４】  なお、本実施形態では、勾配情報１９（図３参照）も座標データ１２とリンクさせることができる。特に下り勾配情報は、ライダーにとって有用な情報の一つであるので（すなわち、下り勾配では、速度が増してカーブが難しくなる等のため）、下り勾配情報も座標データ１２とリンクできるのは技術的な意義が大きい。【０１０５】  次に、図７および図８を参照しながら、本実施形態の構成をさらに詳述する。図７は、本実施形態の自動二輪車用の走行情報蓄積システムを備えた自動二輪車２００の一例を模式的に示す図であり、図８は、本実施形態の自動二輪車用の走行情報蓄積システム１００の一例を示すブロック図である。【０１０６】  図７に示した自動二輪車２００は、スクータ型の自動二輪車であり、前輪２０２、後輪２０３、ハンドル２０４、スクリーン２０５、駆動源であるユニットスイング式エンジン２０６、およびシート２０７から構成されている。シート２０７上には、頭部にヘルメット２０８を装着したライダーが座っている。なお、本実施形態では、自動二輪車２００として、スクータ型自動二輪車を例示したが、スクータ型に限らず、他の自動二輪車でもよい。また、本明細書において「自動二輪車」とは、モーターサイクルの意味であり、具体的には、車体を傾動させて旋回可能な車両のことをいう。したがって、前輪および後輪の少なくとも一方を２輪以上にして、タイヤの数のカウントで三輪車・四輪車（またはそれ以上）としても、それは「自動二輪車」に含まれ得、また、それについてバンク角θを計測・算出することが可能である。【０１０７】  自動二輪車２００には、本実施形態の自動二輪車用の走行情報蓄積システム１００の制御部２０となるエレクトロニックコントロールユニット（ＥＣＵ）１２０と、座標特定装置２２となるＧＰＳ受信機１２２が設けられている。【０１０８】  さらに自動二輪車２００には、アンテナ２０９、ＤＳＲＣ（Ｄｅｄ��ｃａｔｅｄ  Ｓｈｏｒｔ−Ｒａｎｇｅ  Ｃｏｍｍｕｎｉｃａｔｉｏｎ）アンテナ２１０、検出器２１２及びＤＳＲＣ受信機２１３と、音声・映像回路２１５、ディスプレイ装置２１６、トランスミッタ２１７も設けられている。【０１０９】  アンテナ２０９は、道路上に設置された路側マーカー２１８からの信号を受信するものであり、車体後部に設置された検出器２１２を介してＤＳＲＣ受信機２１３に電気的に接続されている。ＤＳＲＣアンテナ２１０は、電柱等に設置されたＤＳＲＣ路側アンテナ２１９からの信号を受信するものであり、ＤＳＲＣ受信機２１３に接続されている。【０１１０】  ＤＳＲＣ受信機２１３とＧＰＳ受信機１２２とは、ＥＣＵ１２０に電気的に接続されている。なお、上述したように、本実施形態の自動二輪車用の走行情報蓄積システム１００の制御部２０の動作は、ＥＣＵ１２０によって行うことができる。ＥＣＵ１２０は、車体前部に設置された音声・映像回路２１５にも接続されている。また、ＥＣＵ１２０には、自動二輪車２００の走行状態を検出する車載のセンサ（例えば、エンジン回転数を検出する回転センサ、スロットルバルブの開度を検出するスロットル開度センサ、ブレーキレバーの開度を検出するブレーキセンサ、車体の傾斜角を検出するためのヨーレートセンサ等）及び車載のナビゲーション装置２２０が接続されている。【０１１１】  音声・映像回路２１５には、各種メータ類と共に車体前部に配置されたディスプレイ装置２１６と、車体前部に配置されたトランスミッタ２１７とが接続されている。ヘルメット２０８には、音声受信機２２２、および、音声受信機２２２に接続された左右のスピーカ２２４が内蔵されている。【０１１２】  まず、上述したように、ＥＣＵ１２０は、自動二輪車２００の位置情報をＧＰＳ受信機１２２によって得ることができる。さらに、図７に示した構成では、自動二輪車２００はＤＳＲＣの機能も備えており、それにより道路情報も得ることが可能である。以下、それについて簡単に説明する。【０１１３】  スクータ型自動二輪車２００が路側マーカー２１８を通過した場合、アンテナ２０９が路側マーカー２１８からの信号を受信して、これを検出器２１２を介してＤＳＲＣ受信機２１３に送信する。次いで、ＤＳＲＣ受信機２１３は、その信号をＥＣＵ１２０に対して出力する。路側マーカー２１８から発信される信号は、道路情報の提供の開始位置と終了位置をＥＣＵ１２０に知らせる。ＥＣＵ１２０は、情報提供の開始を検知すると、ＤＳＲＣ路側アンテナ２１９から発信される各種道路情報を受け取る。ＤＳＲＣ路側アンテナ２１９から発信される交差点、横断歩道、カーブや坂道等の存在を示す信号は、ＤＳＲＣアンテナ２１０によって受信されて、ＤＳＲＣ受信機２１３に送信される。次いで、ＤＳＲＣ受信機２１３から、各種道路情報がＥＣＵ１２０に入力される。【０１１４】  ＥＣＵ１２０は、ＧＰＳ受信機から入力された情報（位置情報）、ＤＳＲＣ受信機２１３から入力された道路情報、または、ナビゲーション装置２２０によって検出された車体の走行状態とから、車体の走行経過に対応する車体の走行特性値を求めてメモリマップを作成することができ、これをＥＣＵのメモリに設定記憶している。���０１１５】  図８に示した例では、ＥＣＵ１２０は、データ処理部３０とメモリ３２と表示処理装置３４から構成されている。ＥＣＵ１２０内のデータ処理部３０には、センサ４２からの検出信号と、ＧＰＳやＤＳＲＣ４４からの路線・道路・位置信号とが入力される。データ処理部３０の処理結果は、メモリマップとしてメモリ３２内に設定記憶される。なお、図８中のセンサ４２およびＧＰＳ４４は、図６に示したセンサ２４および座標特定装置２２に対応し、そして、ＥＣＵ１２０内のデータ処理部３０およびメモリ３２は、図６中の制御部２０および記憶部２６に対応する。【０１１６】  メモリ３２内のデータは、表示処理装置３４によって表示処理されてディスプレイ２１６に表示され、あるいは、音声処理されてヘルメット２０８の音声出力手段２２４に音声出力される。メモリ３２内のデータを表示させた例が、図２から図５の表示例である。なお、データ処理部３０に表示処理や音声処理の機能を持たせることも可能である。【０１１７】  さらに、データ処理部３０には、各種設定スイッチ４６を接続しておくことができる。また、データ処理部３０は、外部メモリ４８（ＣＤＲＯＭ、ＣＤ−ＲＷ、フラッシュメモリ、コンパクトフラッシュ（登録商標）、あるいは、通信手段を介して接続可能なサーバやデータベースなど）に接続することが可能である。【０１１８】ＥＣＵ１２０を含むシステムによって、データライブラリを作成することができる。換言すると、自動二輪車の走行情報蓄積を行うことができる。データ処理部３０は、センサ４２からの各種データを単位時間毎（例えば、１００ｍｓｅｃ毎）にサンプリングし、このサンプリング値からリアルタイム或いは走行終了後に、バンク角、車速、加減速のポイントを含む車体走行特性値を求めこれをメモリ３２に記録する。また、車体の走行経路の走行軌跡（座標データ）の所定間隔毎に、バンク角、加速又は減速がされたポイント、車速、加速値、減速値が記憶される。車体の位置情報はＧＰＳ４４（１２２）から得られる。さらに、ナビゲーション装置２２０の地図データと重ねて、路線に対応させた形での車体走行特性値が記録されたメモリマップ（ライブラリ）を得ることも可能である。【０１１９】  本実施形態では、路線のコーナー曲率毎に車体走行特性値を定めるようにしている。具体的には、○○○高速道路の×××丁目のコーナ（Ｒ＜１００）の限界バンク値（適正バンク値）、加減速値、限界車速（適正車速）、加減速位置をメモリマップに設定する。限界バンク値の限界と表記したのは、二輪者のライダーはコーナーを自身の最良の運転技術で曲がろうとしていることを前提としたためであり、その意味では、適正バンク角と言い直しても良い。この説明は、限界車速についても同様に当てはまる。【０１２０】  このメモリマップは、ＥＣＵ１２０内のメモリ３２に記憶され、または外部メモリ４８に記憶される。同一経路を再走行した場合で、限界バンク角（適正バンク角）などの走行結果値が走行前の値を超える場合には、走行後の値で記憶値を更新するようにすることができる。また、外部メモリ４８がサーバを備える運転支援センターである場合には、複数の運転者毎の限界走行値（適正走行値）をこれに登録できる。そして、運転支援センターは、様々なサービスをライダーに提供可能である。例えば、最優秀ライダーの限界値（適正値）をドライバに発信可能である。また、運転支援センターは、気候や路面状況や道路混雑状況によって限界値（適正値）を補正して、これをドライバに発信することも可能である。運転支援センターは、路線のコーナーの曲率やバイクの構造上から定まる物理的な限界値（適正値）をドライバに発信することも可能である。【０１２１】  次に、図７および図８に示した本実施形態の構成をブロック図で表すと、図９に示すようになる。図９に示した構成例では、設定スイッチ４６として、ＧＰＳデータ記録スイッチ４６ａ、車両情報書き出しスイッチ４６ｂ、設定変更スイッチ４６ｃが表記されており、また、センサ４２として、ヨーレートセンサ４２ａ、車速センサなどの各種センサ４２ｂが表記されている。さらに、電源５０、ＣＣＤカメラ（撮像素子）やマイク入力部５４、ＡＶ出力部５６も表記されている。なお、画像・音声ユニット２１５と図８中の表示処理装置３４とを同一の装置で兼ねることも可能である。【０１２２】  また、バンク角θと座標データとのリンクを達成する上では、ＤＳＲＣ受信機２１０は特に必要ないので、その場合には、図９に示した構成は、図１０に示した構成にすることができる。加えて、ＣＣＤカメラ（または、ＣＭＯＳイメージセンサのような他の撮像素子）５４、マイク入力部５４、音声送受信機２１７、２２２などもオプションとして扱うことができる。ここで、音声送受信機２１７、２２２を双方向なものにして、ライダーからの音声もデータとして記憶できるようにしてもよい。【０１２３】  図３に示したようなデータと、バンク角データ、加速度データなどを統合して蓄積することも可能である。そのような統合データの表示例を図１１に示す。図１１に示した表示例では、自車位置１７、走行経路１４、方位マーク１５等が表示された地図情報ウインド１１と、バンク角表示６０、加速・減速度表示６２が表されている。加えて、カーブ指示アイコン６４も表示されている。勿論、車速を併記することも可能である。【０１２４】  このように、測定データを数値またはグラフ・チャートの形で統合して蓄積すると、お互いの情報の関係が一目でわかるので、自動二輪車の走行支援にとってより適切な情報をライダーに提供することが可能となる。【０１２５】  さらに、図１１に示したようなデータと、走行時の画像データ（撮像データ）とを融合させて蓄積することもできる。図１２は、図９および図１０中のＣＣＤカメラ５４で撮像した走行時の画像データを表示するカメラウインド６６と、地図情報ウインド１１等とを融合したものの表示例である。走行時の画像データは、動画データに限らず、静止画データであっても構わない。なお、図１２に示した例では、バンク角表示６０、加速・減速度表示６２は、車速表示も含めて簡略表記６８で表されている。【０１２６】  このように、座標データ（または座標データ加工情報）およびバンク角（さらには、車速等の情報）に加えて、走行時の画像データ（６６）もリンクすると、走行時画像と測定データの数値・グラフ・チャートとを組み合わせて、ライダーに提供することができるので���自動二輪車の走行支援のための情報の質を向上させることができ、また、走行時の画像があることによって、数値等だけの提供よりもさらに直感的にライダーに有用な情報を伝えることが可能となる。【０１２７】  なお、図１１および図１２に示した蓄積データは、通信手段を介して、リアルタイムでインターネット等に配信することが可能であり、特に、走行時画像をリアルタイムで配信すると、より臨場感ある蓄積データを提供することができる。【０１２８】  自動二輪車用の走行情報蓄積システム（または、自動二輪車用の走行情報取得システム）のスイッチ配置等は、図１３のようにすることができる。図１３は、ライダー側から見たハンドル・モニター周りの構造図である。図１３に示した例では、ハンドル２０４の奥に、表示器（モニター）２１６が設けられている。表示器２１６の周りの車体には、スクリーン（風よけスクリーン）２０５およびサイドミラー２３２が取り付けられている。表示器２１６の下側に、ＧＰＳデータ記録スイッチ４６ａおよび車両情報書き出しスイッチ（ドライブレコーダ機能をオン・オフするための車両情報データ取得スイッチ）４６ｂが設けられている。なお、その周囲には、エンジンをオン・オフするためのメインスイッチキー２３０も配置されている。【０１２９】  表示器（モニター）２１６は、例えば、図１４（ａ）に示すような構成にすることができる。表示器２１６は、メーターユニット２４０として構成されており、液晶表示装置２１６と、車速計２４２、燃料計・油温計２４４とを含んでいる。なお、液晶表示装置２１６は、有機ＥＬ表示装置のような他の画像表示装置であってもよい。液晶表示装置２１６の周囲には、ボタン式スイッチ２５２が設けられている。ここでのスイッチ２５２は、例えば、メニュー送りスイッチ２５２ａ、ライダー１・２選択スイッチ／カーブサービスオン・オフスイッチ２５２ｂ、音声モード切替スイッチ２５２ｃ、路面選択スイッチ２５２ｄ、データ表示／決定スイッチ２５２ｅなどであり得る。【０１３０】  図１４（ａ）に示した例では、液晶表示装置２１６を覆うようなシェード２５０が設けられている。その斜視図を模式的に示すと、図１５に示すようになる。シェード２５０は、図１４（ｂ）に示すように可動式となっており、シェード２５０を矢印２５１の方に押すと、回転中心点２５８を中心として回転して、液晶表示装置２１６の表示画面部分を覆うことができる。シェード２５０の固定・開放は、切り欠き２５３ａ、バネ２５４、ストッパ２５６によって行われている。なお、切り欠き２５３ｂは、途中で保持するために使うものである。【０１３１】  自動二輪車の場合、メータ表示部が直接露出しているので、ライダーの身長により視点も異なり、通常のメータカウル（メータカバー）では太陽光の入射を遮る範囲が狭く、光が当たると液晶画面表示内容が見えにくくなることが多い。本実施形態の構成では、液晶表示装置２１６の周囲にシェード２５０を設けているので、そのような見えにくさを抑制することができる。また、本実施形態のシェード（表示ディスプレイ用カバー）２５０は、横からの太陽光の入射も効果的に防ぐことができる。【０１３２】  さらに、本実施形態のストッパ２５６は、���ェード２５０が閉じた時にロックする機能を有しており、例えば、メインスイッチキー２３０の回転と連動させたものにすることができる。すなわち、シートロックなどと同様な機構によりシェード２５０のロックおよびロック解除を行うことができる。このようにシェード２５０をメインスイッチ２３０と連動させると、液晶表示面へのいたずらを防止する機能も持たせることができる。【０１３３】  本実施形態の走行情報蓄積方法によって取得されたデータは、例えば、図１６から図１９に示すようにしてライダーへ情報提供することができる。【０１３４】  図１６は、走行路の軌跡の映像に重ねて、左右のバンク角の値を連続的に表示したものである。ライン１５０は、車体の走行経路（走行軌跡）であり、ライン１５２は、ライダー１のバンク角の変化であり、ライン１５４は、ライダー２のバンク角の変化である。バンク角の変化曲線と走行経路の進行方向との間の座標的な差がバンク角の大きさに相当し、その幅が走行経路の左右のどちらにあるかによってバンク角の方向が判別される。【０１３５】  このような表示は、視覚的に、ライダーにバンク角とカーブ（走行経路）との情報をわかりやすく提供できるので非常に技術的意義が大きい。バンク角のデータは、同一走行路を車体が走行した際には、順次メモリに更新されても良いし、走行日時毎のバンク角のデータをメモリに設定しておくようにしても良い。【０１３６】  図１７は、バンク角に代えて車速が車体の走行軌跡にインポーズされた画像を示している。図１７に示した画像では、車速の変化グラフ１５６と走行経路１５０との差が車速に対応している。この表示もまた、視覚的に、ライダーに車速と走行経路との情報をわかりやすく提供できるので非常に技術的意義が大きい。【０１３７】  ライダーは走行後、ディスプレイ装置を走行結果表示（図１６および／または図１７の表示）のモードにすることによって、今の走りの精度、または、熟練度、あるいは特性といっても良いが、今の走行結果を画面に表示させることができる。この時、過去の走行結果を今の走行結果に重ねて表示させれば、運転向上度を認識することができる。これらの走行軌跡を地図データと重ねれば、ナビゲーション装置の画面に走行結果を重ねて表示することが可能となる。また、走行前に路線の限界値データ（適正値データ）を確認することもできる。【０１３８】  図１８は、他の表示形態を示す画面例であり、コースが特定され、このコースの走行中の走行特性値（限界走行値）が数字として示されている。なお、ライダー１とライダー２との区別をわかりやすくするために色をわけて表示してもよい。また、ライダー１及びライダー２は別人であっても、本人であっても良い。この数値は車体のメモリから読み出しても、外部メモリから読み出すようにしても良い。図１９では、標準値（最大値）とライダー１とのデータが比較されている。したがって、自分の限界値が標準値と比較してどうであったかを確認することができる。【０１３９】  なお、上述した図４および図５に示した画面例も、他の表示形態パターンとなる。ここでは、データ処理部（例えば、図８中の「３０」）は、ライダー毎とコーナーの曲率毎に走行限界値をメモリマップから読み��し、これをデータ表示処理部を介してディスプレイに表示する。バンク角は前記特性式に基づいてカーブ曲率Ｒより計算される。加減速値は車速値より計算される。カーブ曲率は、ナビ、ＧＰＳデータＭＡＰより計算することも可能である。【０１４０】  データを表示させる際の各種パラメータの設定は、例えば、図２０に示すように行うことができる。画面７０は、タッチパネルの例であり、画面７０中の「表示」は、データ（例えば、図１８に対応）を表示するためのボタンであり、一方、「設定」は、メモリマップに登録されている限界走行値（適正走行値）を補正するパラメータを設定するためのボタンである。【０１４１】  表示ボタンを押すと、例えば、表示画面７１がディスプレイ装置に表示される。一方、設定ボタンを押すと、まず、画面７２が表示されて、「ピー」という単音にするか、「右カーブあり」というような音声にするかが選択される。【０１４２】  次いで、「次」のボタンを押すとライダー２名分の設定が可能な画面７４が表示される。ここで「ライダー２」を２名乗車（タンデム）の設定にする等の使い分けも可能である。次に、画面７６が表示されて、路面設定パラメータを選択することができる。例えば、オンロード・オフロード、または、ドライ・ウエットなどのように路面状況によってパラメータを設定できる。パラメータとしては、昼夜、薄暮などの時間要素も設定可能である。【０１４３】  その後、画面７８が表示されて、パラメータで補正された走行限界値で書き換えるか、これをクリアするかが選択される。補正パラメータには、カーブの深さ、タイヤ空気圧、温度、下り勾配、凍結の有無などがある。【０１４４】  また、メモリマップの更新は、次のようにして実行することができる。【０１４５】  ライダーが二輪車を走行させようとする際に、ディスプレイに既述の表示画面を表示させる。次いで必要な設定を行い、二輪車を始動させるとナビゲーション画面が表示され、現在のバンク角が計算されて、地図の画面中に左右のバンク角値が表示される。その時の画面例は、例えば、図１１のようなものであり得、車体の走行位置、バンク角、曲率半径、勾配、カーブの方向（カーブアイコン）、加速・減速度などが地図情報とともに表示される。【０１４６】  二輪車の現在の走行位置が走行限界値のマップに近い場合には、マップを表示して現在値をディスプレイに映し出す。マップのカーブから現在地の進行方向でもっとも近いカーブの開始点との距離、到達時間を計算し、この到達時間が数秒以内であればディスプレイにカーブのアイコンを表示して、運転者にカーブの到達を予告する。マップから限界車速値（適正車速値）が読み出され、必要に応じて補正係数を乗じる。これはカーブの深さなどによって補正される。【０１４７】  次いで、限界車速値と実測値が比較されて、実測値がこれを超える場合には、アイコンを点滅したり、音声情報によって運転者にこれを告知する。データ処理手段は、メモリのワークＲＡＭ内にあるマップデータから走行している道路のＲでの走行限界値（バンク角など）を読み込み、走行限界値を実測値が上回っていれば、ワークＲＡＭの限界値テーブルを更新する。【０１４８】  次いで、車両がマップの終点まで到達した��、データ処理手段はＥＣＵのワークメモリのデータを外部メモリのテーブルに書き込む。車両の停止が数分以上、又は車両が終点より１０ｍ以上過ぎていることのいずれかの条件が成立したら、この書き込み動作を行う。一方、この条件が成立しない場合には、走行限界値の実測を継続する。このようにして、カーブの途中でサンプリングが終了しないようにしている。【０１４９】  実測車速値が限界車速値以下の場合には、実測走行性値が限界走行値を超えていることは無いので、外部メモリの更新を行わない。たとえ実測車速値が限界車速値を越えても、バンク角が限界バンク角を超えていなければ外部メモリの更新は行わない。【０１５０】  データ処理手段は、メモリマップ上の限界走行値を利用することにより、運転者に種々の警告・予告を与える処理を実行可能である。たとえば、路線に登録されている走行限界値と実測値とを比較して、実測値が限界値に近づいていることの告知、限界走行値がそもそも理論的な限界値以下である場合には、運転者には実測値よりもより大きなバンク角・車速での走行が可能である旨の告知などである。また、未走行のルートであれば、ナビゲーションの地図データからコーナーの曲率を求め、データマップ上の同一曲率の限界走行値を未走行ルートに対して仮設定することもできる。【０１５１】  なお、マップデータは、パソコンなどで編集し、これを外部メモリに登録することもできる。また、インターネット回線を通じて、運転支援センターのホームページにアクセスすることによって、必要なメモリマップを二輪車のコントローラにダウンロードすることができる。【０１５２】  次に、図２１から図２３を参照しながら、本実施形態の自動二輪車用の走行情報蓄積方法を含むフローについて説明する。【０１５３】  図２１は、フロー全体の概略を説明するためのフローチャートであり、一方、図２２および図２３は、図２１のフローを詳細にしたフローチャートである。【０１５４】  まず、フロー開始（ＳＴＡＲＴ）の後、パラメータ設定（Ｓ１００）を行う。パラメータ設定では、上述したように、タッチパネルやボタンスイッチを用いて、ライダー、路面などのパラメータの設定を行う。次に、車両データを書き込みを実行する場合（Ｓ１１０）、車両に搭載している各種センサによる計測値を取得して、取得データの書き込みを行う（Ｓ１１１）。次いで、地図データを取得するときには（Ｓ１２０）、ＧＰＳカーブサービスのためのデータ取得を実行し、ＧＰＳデータに基づく地図データを作成する（Ｓ１２１）。最後に、カーブサービスを実行したい場合に（Ｓ１３０）、上述したようなカーブ支援サービスを提供する（Ｓ１３１）。走行が終了すれば、あるいは、任意にサービスを停止した場合に、フローは終了する（ＥＮＤ）。【０１５５】  次に、図２２および図２３による詳細な例を説明する。【０１５６】  まず、図２２に示すように、開始後（ＳＴＡＲＴ）、パラメータの読み込みを行う（Ｓ２００）。ここでは、ライダー、路面、音声の種別を行う。次に、ライダーの走行限界値（適正限界値）を外部メモリ媒体から読み込む（Ｓ２１０）。例えば、図４および図５に示したようなテーブルを読み込む。ここには限界車速（Ｖｍａｘ）データも���まれている。なお、外部メモリ媒体からの読み込みは通信を利用して行ってもよい。【０１５７】  その後、タイヤ空気圧／温度の検出、および、気温の検出を行う（Ｓ２２０）。この検出により、タイヤ補正値を決定したり、気温による補正値を決定したりする。例えば、タイヤ空気圧Ｐ１＜９０ｋＰａの場合、または、温度ｔ１＜２０℃や温度ｔ１≧８０℃の場合、タイヤ補正係数として９０％（通常は１００％）を決定する。あるいは、凍結判定を行って、０℃以下の時に、気温凍結補正データとして８０％（通常は１００％）を設定する。【０１５８】  さらに、現在の車速Ｖ１を検出し（Ｓ２２１）、ＧＰＳ経度ｘ、緯度ｙを検出したりする（Ｓ２２２）。そして、現在位置に最も近い道路線形マップの取り出し（Ｓ２２３）とともに、バンク角、加速度を計算して表示する（Ｓ２３０）。ここで、マップのノード（構成点）を結ぶ線、または、カーブ上から所定距離内（例えば、１０ｍ以内）かどうかにより、現在位置がマップ上に近いかどうか判断する（Ｓ２４０）。そして、近い場合には、マップを表示して現在位置を示す（Ｓ２４１）。【０１５９】  次いで、マップのカーブＲ１〜Ｒｎから現在位置の進行方向で最も近いカーブ開始点との距離、到達時間を計算する（Ｓ２４２）。ここで、到達時間が所定時間内（例えば、５秒前以内）の場合かどうかを判断し（Ｓ２５０）、その場合、カーブアイコンを表示する（Ｓ２６０）。そして、Ｖｍａｘに補正係数を掛けたＶ２を算出する（Ｓ２７０）。補正係数は、例えば、カーブの深さ補正（Ｃ２）、タイヤ補正（Ｃ３）、下り勾配補正（Ｃ４）、気温補正（Ｃ５）などを挙げることができる。上述したタイヤ補正（Ｃ３）および気温補正（Ｃ４）以外のカーブの深さ補正（Ｃ２）の場合、カーブの深さが≦４５°のときは補正係数１００％で、≦９０°、≦１３５°、１３５＜のときは補正係数をそれぞれ９５％、９０％、８０％のように設定することができ、一方、下り勾配補正（Ｃ４）の場合、下り勾配５％以上の時、９５％（通常は１００％）のように設定することができる。【０１６０】  その後、図２３に示すように、補正後の限界車速Ｖ２と現在の車速Ｖ１とを比較する（Ｓ３００）。Ｖ２＜Ｖ１であれば、アイコン点滅、音声情報提供などによりライダーに通知する（Ｓ３１０）。次いで、一時メモリに存在する現在サービス中の走行限界値（走行適正値）を取り出し（Ｓ３２０）、走行限界値が計測値を上回っているか判断する（Ｓ３３０）。上回っている場合（ｙｅｓ）、一時メモリの限界値テーブルを更新する（Ｓ３４０）。なお、ここで一時メモリとは、適宜書換が行われるメモリのことを意味している。【０１６１】  限界値テーブルの更新（Ｓ３４０）とともに、Ｓ３００およびＳ３３０において「ｎｏ」の場合、マップの終点まで到達したかを判断する（Ｓ３５０）。到達していない場合には、車速０の停止が５分以上か？又はマップから１０ｍ以上遠いか？を判断する（Ｓ３６０）。Ｓ３５０およびＳ３６０で「ｙｅｓ」の場合、取得した限界値データを外部メモリのテーブルに書き込む（Ｓ３７０）。Ｓ３７０の後、および、Ｓ３６０で「ｎｏ」の場合、再び、図２２の「Ｂ」の位置からスタートすることができる。なお、図２２および図２３中の「Ａ」「Ｂ」「Ｃ」は互いのものに飛ぶ印として表している。【０１６２】  以上、本発明を好適な実施形態により説明してきたが、こうした記述は限定事項ではなく、勿論、種々の改変が可能である。
【産業上の利用可能性】
【０１６３】  本発明によれば、自動二輪車の走行支援のために適切なバンク角を記憶できる自動二輪車用の走行情報蓄積方法を提供することができる。
【図１】
0004346609.tif 000002
【図２】
0004346609.tif 000003
【図３】
0004346609.tif 000004
【図４】
0004346609.tif 000005
【図５】
0004346609.tif 000006
【図６】
0004346609.tif 000007
【図７】
0004346609.tif 000008
【図８】
0004346609.tif 000009
【図９】
0004346609.tif 000010
【図１０】
0004346609.tif 000011
【図１１】
0004346609.tif 000012
【図１２】
0004346609.tif 000013
【図１３】
0004346609.tif 000014
【図１４】
0004346609.tif 000015
【図１５】
0004346609.tif 000016
【図１６】
0004346609.tif 000017
【図１７】
0004346609.tif 000018
【図１８】
0004346609.tif 000019
【図１９】
0004346609.tif 000020
【図２０】
0004346609.tif 000021
【図２１】
0004346609.tif 000022
【図２２】
0004346609.tif 000023
【図２３】
0004346609.tif 000024